(57)【特許請求の範囲】
【請求項１】
水を収容する容器と、この容器の外側を覆う外枠と、湯沸かし用のヒーターと、外枠の外部にのぞむアース線接続端子を有するとともに容器側と導通したアース金具と、外枠側に設けたアース金具保持部とを備え、前記アース金具保持部と前記アース金具の一方には他方と当接して取り付け案内するガイドを設けるとともに、前記アース金具をアース金具保持部にて保持した電気湯沸かし器。
【請求項２】
アース金具保持部とアース金具の一方には係合部を設け、他方には前記係合部に係合される突部を設け、この突部を前記係合部に係合してアース金具をアース金具保持部にて保持した請求項１記載の電気湯沸かし器。
【請求項３】
アース金具にはアース金具保持部を挟持する取付部を設け、この取付部によりアース金具保持部を挟持してアース金具をアース金具保持部に取り付けた請求項１または２記載の電気湯沸かし器。
【発明の詳細な説明】
【０００１】
【発明の属する技術分野】
本発明はアース線を接続するためのアース線接続端子を設けた電気湯沸かし器に関するものである。
【０００２】
【従来の技術】
電気製品に対する規格によりアース線を接続するためのアース線接続端子を電気湯沸かし器に設けなければならない場合がある。このような場合の電気湯沸かし器は図６および図７に示すような構造が一般的であった。すなわち、１は上方を開口した水を収容する容器で、容器１の外底には湯沸かし用のヒーター２が取り付けられている。３は容器１の外側を覆う樹脂製の外枠で、外枠３の底面には開口部４が設けられ、開口部４は裏板５で覆われている。６は金属製の遮熱板で、図示されていないが容器１に固定されている。遮熱板６には、容器１に外枠３をセットした後に板金をＬ字型に形成したアース金具７が取り付けられている。アース金具７は遮熱板６への取付部７ａと雌ねじを有したアース線接続端子８を固着した固着面７ｂで構成され、アース線接続端子８は外枠３の側面に設けた貫通孔９に内側から挿入され外枠３の外部にのぞんでいる。１０はアース線１１をアース線接続端子８に取り付ける固定ねじである。アース線１１をアース線接続端子８にねじ止めするとアース金具７および遮熱板６を介して、ヒーター２を備えた容器１がアース接続される。１２は温度検知部である。
【０００３】
【発明が解決しようとする課題】
しかしながら、前記従来の構成では固定ねじ１０を過度に締め付けるとアース金具７の取付部７ａにねじり応力が加わり変形してしまうという課題を有していた。
【０００４】
本発明はこのような従来の課題を解決するものであり、過度に締め付けられてもアース金具が変形しないようにすることを目的としている。
【０００５】
【課題を解決するための手段】
上記課題を解決するために本発明は、アース金具を外枠側に設けたアース金具保持部にて保持するようにしたものである。
【０００６】
これにより、アース金具にねじり応力が加わってもアース金具保持部とガイドで締め付けトルクを受け、アース金具がねじられて変形するのを防ぐことができる。
【０００７】
【発明の実施の形態】
請求項１に記載の発明は、水を収容する容器と、この容器の外側を覆う外枠と、湯沸かし用のヒーターと、外枠の外部にのぞむアース線接続端子を有するとともに容器側と導通したアース金具と、外枠側に設けたアース金具保持部とを備え、前記アース金具をアース金具保持部にて保持した電気湯沸かし器としたもので、アース線取り付け時にアース金具にねじり応力が加わってもアース金具保持部とガイドで締め付けトルクを受け、アース金具がねじられて変形するのを防ぐことができるとともに、アース金具はガイドにより案内され振れ防止となり組み立てが容易になる。
【０００８】
請求項２に記載の発明は、アース金具保持部とアース金具の一方には係合部を設け、他方には前記係合部に係合される突部を設け、この突部を前記係合部に係合してアース金具をアース金具保持部にて保持した電気湯沸かし器としたもので、アース線取り付け時にアース金具にねじり応力が加わっても、突部と係合部にて締め付けトルクを受け、アース金具がねじられて変形するのを防ぐことができる。
【０００９】
請求項３に記載の発明は、アース金具にはアース金具保持部を挟持する取付部を設け、この取付部によりアース金具保持部を挟持してアース金具をアース金具保持部に取り付けた電気湯沸かし器としたもので、アース線取り付け時にアース金具にねじり応力が加わっても、アース金具はアース金具保持部を挟持しているので、ここで締め付けトルクを受け、アース金具がねじられて変形するのを防ぐことができるとともに、アース金具によるアース金具保持部の挟持によりアース金具の振れ防止となり組み立てが容易となる。
【００１０】
【実施例】
以下本発明の実施例について図面を参照して説明する。
【００１１】
（参考例）
図１、図２において、２１は上方を開口し水を収容する容器で、容器２１の外底には湯沸かし用のヒーター２２が取り付けられている。２３は容器２１の外側を覆う樹脂製の外枠で、外枠２３と一体または別体の底面２３ａには、底部を盛り上げて形成したアース金具保持部２３ｂが一体に設けられ、アース金具保持部２３ｂの上面には外枠２３の中心側に向いた溝等からなる係合部２４が設けられている。なお、アース金具保持部２３ｂは、底面２３ａに設けることなく、外枠２３の内側面に一体に設けてもよいものである。また係合部２４は溝ではなく単なる凹部あるいは切り欠きであってもよい。２５は雌ねじを有したアース線接続端子で、アース線接続端子２５は外枠２３の側面に設けた貫通孔２６に内側から挿入され、外枠２３の外部にのぞむようになっている。
【００１２】
２７はアース線接続端子２５を一端の取付部２７ａに取り付けたアース金具で、導電性の材料で形成され、アース金具保持部２３ｂに固着部２７ｂが載置され保持固定される。アース線接続端子２６を取り付けた取付面２７ａには、係合部２４側に突出した突部２８を形成し、突部２８の幅は係合部２４よりもわずかに狭くしてある。
【００１３】
２９は容器２１に固定（固定手段は省略）された遮熱板３０に接続したリード線で、その一端はアース金具２７に設けられたタブ端子３１に接続され、アース金具２７と容器２１側とが導通されている。３２はアース線３３をアース線接続端子２６に取り付ける固定ねじである。アース線３３をアース線接続端子２６にねじ止めすると、アース金具２７、リード線２９および遮熱板３０を介して、ヒーター２２を備えた容器２１がアース接続される。
【００１４】
次に、前述した電気湯沸かし器の作用について説明する。固定ねじ３２でアース線３３をアース線接続端子２５に固定する時、固定ねじ３２を過度に締め付けるとアース金具２７をねじる方向に力が働く。しかし、アース金具２７を外枠２３側に設けたアース金具保持部２３ｂにて保持するようにしたものであるため、アース金具２７にねじり応力が加わってもアース金具保持部２３ｂが締め付けトルクを受け、アース金具２７がねじられて変形するのを防ぐことができる。
【００１５】
特に、本参考例では、突部２８が係合部２４の壁に当接してねじり応力を受けるため、取付部２７ａ、固着部２７ｂには力が加わらず、アース金具２７が変形してしまうのを防ぐことができる。また、取付部２７ａを延長した突部２８で力を受けるため、小さい力で受けることができ突部２８や係合部２４の壁の変形も防ぐことができる。
【００１６】
また、係合部２４を参考例のように、溝の構成とすれば、アース金具２７の突部２８をスライドさせながらアース金具２７をアース金具保持部２３ｂに取り付けることができる。
【００１７】
なお、参考例とは逆に、係合部２４をアース金具２７に、突部２８をアース金具保持部２３ｂに設けても同様な効果が期待できるものである。
【００１８】
さらに、アース金具２７をアース金具保持部２３ｂ上に載置する構成としているため、固着部２７ｂからアース線接続端子２５までの高さを低くできる。その結果、取付部２７ａの曲げ強度を強くでき、アース線接続端子２５が押し込まれることに対しても強くすることができる。
【００１９】
以上のように、アース金具２７に過度に力を加えられても変形するのを防ぐことができる。
【００２０】
（実施例１）
図３、図４において参考例と相違する点について説明する。この実施例では、外枠２３の底面２３ａに開口部３４が設けられ、開口部３４は裏板３５で覆われている。アース金具２７の固着部２７ｂは略コの字状に形成されており、アース金具保持部２３ｂの上下面を挟持するようになっている。
【００２１】
この構成では、アース線取り付け時にアース金具２７にねじり応力が加わっても、アース金具２７はアース金具保持部２３ｂを挟持しているので、ここで締め付けトルクを受け、アース金具２７がねじられて変形するのを防ぐことができる。
【００２２】
また、アース金具２７をアース金具保持部２３ｂに取り付ける時には、開口部３４側からスライドさせる。この時、固着部２７ｂがアース金具保持部２３ｂを挟持しているため、案内となって上下方向の振れ防止となり、アース線接続端子２５を貫通孔２６に挿入するのが容易になる。
【００２３】
（実施例２）
図５において実施例１と相違する点について説明する。この実施例では、アース金具２７の固着部２７ｂの側方に切り欠き部３６を形成し、この切り欠き部３６に対応してガイド３７をアース金具保持部２３ｂに設けてある。ガイド３７は、アース金具２７の取り付け時にスライドさせるとアース金具２７の側部と当接して取り付けを案内し、切り欠き部３６に収まるものである。
【００２４】
この構成では、アース線取り付け時にアース金具２７にねじり応力が加わっても、アース金具２７はアース金具保持部２３ｂのガイド３７と当接しているので、ここで締め付けトルクを受け、アース金具２７がねじられて変形するのを防ぐことができるとともに、アース金具２７はアース金具保持部２３ｂのガイド３７により案内され振れ防止となり組み立てが容易になる。すなわち、アース金具２７をアース金具保持部２３ｂに取り付ける時には、開口部３４側からスライドさせるが、この時、突部２８が係合部２４を摺動するとともにガイド３７がアース金具２７の側部と当接し切り欠き部３６に収まる。突部２８と切り欠き部３６の二カ所が案内となるため、アース金具２７の左右方向の振れが止められ、組み立てが容易になる。
【００２５】
この実施例とは逆に、ガイド３７をアース金具２７に、切り欠き部３６をアース金具保持部２３ｂに設けても同様の効果が期待できるものである。
【００２６】
なお、実施例１〜２の特徴的な構成は、それぞれ単独の構成でも十分機能するものであって発明を構成するが、これらの組み合わせによる構成であってもよいものである。
【００２７】
【発明の効果】
以上のように本発明の電気湯沸かし器によれば、アース金具保持部とアース金具の一方には他方と当接して取り付け案内するガイドを設けるとともに、アース金具をアース金具保持部にて保持するようにしたことにより、アース線取り付け時にアース金具にねじり応力が加わっても、アース金具保持部とガイドで締め付けトルクを受け、アース金具がねじられて変形するのを防ぐことができる。また、アース金具はガイドにより案内され振れ防止となり組み立てが容易になる。
【図面の簡単な説明】
【図１】本発明の参考例を示す電気湯沸かし器の下部断面図
【図２】同電気湯沸かし器のアース金具およびアース金具保持部の斜視図
【図３】本発明の実施例１を示す電気湯沸かし器の下部断面図
【図４】同電気湯沸かし器のアース金具およびアース金具保持部の斜視図
【図５】本発明の実施例２を示す電気湯沸かし器のアース金具およびアース金具保持部の斜視図
【図６】従来例を示す電気湯沸かし器の下部断面図
【図７】同電気湯沸かし器の要部拡大断面図
【符号の説明】
２１  容器
２２  ヒーター
２３  外枠
２３ａ  底面
２３ｂ  アース金具保持部
２４  係合部
２５  アース線接続端子
２７  アース金具
２７ａ  取付部
２７ｂ  固着部
３７  ガイド
【図１】
0003539407.tif 000002
【図２】
0003539407.tif 000003
【図３】
0003539407.tif 000004
【図４】
0003539407.tif 000005
【図５】
0003539407.tif 000006
【図６】
0003539407.tif 000007
【図７】
0003539407.tif 000008